(57)【要約】【課題】金融機関向けの広告コンテンツの時間帯毎の観客数の把握と集計を行う金融機関向けコンテンツの観客数集計システムの提供。【解決手段】金融機関向けコンテンツの観客数集計システムＳは、広告提供会社１とコンテンツ配信センタ２と金融店舗３とからなる。広告提供会社１のＰＣ１０とコンテンツ配信センタ２のＰＣ２０と金融店舗３のＰＣ３０とが公衆回線５を介して接続される。コンテンツ配信センタ２のＰＣ２０が広告情報に関するコンテンツ情報を金融店舗３のＰＣ３０に配信する。金融店舗３のＰＣ３０が指定された時刻に表示装置３８に表示された広告情報に関するコンテンツ情報を見ている観客Ｐの人数をカウントしてコンテンツ配信センタ２のＰＣ２０に報告する。【選択図】        図１
2004272642.tif 000002
【特許請求の範囲】
【請求項１】
広告主から依頼された広告を提供する広告提供会社と、前記広告に関する金融機関向けコンテンツを配信するコンテンツ配信センタと、前記金融機関向けコンテンツを表示するための表示装置，前記表示装置に表示された前記金融機関向けコンテンツを見ている観客を捉えて撮影するためのビデオカメラ及び前記ビデオカメラで撮影した前記観客のビデオ信号をビデオ画像データとして入力するためのビデオ入力装置が設置された金融機関などの金融店舗とからなり、前記広告提供会社パソコンと前記コンテンツ配信センタパソコンと前記金融店舗パソコンとを通信回線を介して各種のコンテンツ情報を送受信するように接続し、前記金融店舗パソコンに対して配信された前記金融機関向けコンテンツの時間帯毎の観客数を集計する金融機関向けコンテンツの観客数集計システムであって、
前記広告提供会社パソコンは、前記広告主から依頼された前記広告に関する広告情報を前記コンテンツ配信センタパソコンに送信する機能を備え、前記コンテンツ配信センタパソコンは、前記広告提供会社パソコンから送信された前記広告情報を受信する機能と、受信した前記広告情報をデータベースに格納する機能と、前記広告情報に関するコンテンツ情報を前記金融店舗パソコンに対して配信する機能とを備え、前記金融店舗パソコンは、前記コンテンツ配信センタパソコンから配信された前記広告情報に関するコンテンツ情報をデータベースに格納する機能と、前記広告情報に関するコンテンツ情報を指定された時刻に前記表示装置に表示させる機能と、前記ビデオ入力装置から入力された前記ビデオ画像データに基づいて前記表示装置に表示された前記広告情報に関するコンテンツ情報を見ている前記観客の人数をカウントする機能と、前記カウントした観客の人数を前記コンテンツ配信センタパソコンに報告する機能とを備えたことを特徴とする金融機関向けコンテンツの観客数集計システム。
【請求項２】
上記広告提供会社と上記コンテンツ配信センタと上記金融店舗とは、各種のコンテンツ情報の配信契約を締結し、前記広告提供会社パソコンと前記コンテンツ配信センタパソコンと前記金融店舗パソコンとは、締結した配信契約の内容に従って前記コンテンツ情報の配信を行う機能を備えている請求項１に記載の金融機関向けコンテンツの観客数集計システム。
【請求項３】
上記コンテンツ配信センタパソコンは、予め設定された日時に観客数報告の要求を上記金融店舗パソコンに出す機能と、前記金融店舗パソコンから前記観客数報告の要求に対する時間帯毎の観客数の回答があると、時間帯毎の観客数を集計・分析する機能と、集計・分析した前記時間帯毎の観客数を観客数ログ情報として観客数ログデータベースに蓄積する機能と、指定された日時に前記時間帯毎の観客数の集計・分析結果を上記広告提供会社パソコンに報告する機能とを備えている請求項１または２に記載の金融機関向けコンテンツの観客数集計システム。
【請求項４】
上記金融店舗パソコンは、予め設定された日時に上記表示装置に表示された上記広告情報に関するコンテンツ情報を見ている観客を上記ビデオカメラで捉える機能と、前記ビデオカメラで捉えた前記観客の人数を指定された時刻別に算出する機能と、算出した前記指定された時刻別の観客数を観客数ログ情報として観客数ログデータベースに蓄積する機能と、上記コンテンツ配信センタパソコンからの観客数送信要求又は前記コンテンツ配信センタパソコンから指定された日時に、前記指定された時刻別の観客数を前記コンテンツ配信センタパソコンに報告する機能とを備えている請求項１乃至３のいずれかに記載の金融機関向けコンテンツの観客数集計システム。
【発明の詳細な説明】
【０００１】
【発明の属する技術分野】
本発明は、特に、銀行などの金融機関の金融店舗における金融機関向けの広告コンテンツの時間帯毎の観客数の把握と集計を行うのに最適な金融機関向けコンテンツの観客数集計システムに関するものである。
【０００２】
【従来の技術】
従来、センタに接続された複数の金融機関などの店舗に対して、文字・音声・映像による適切なメッセージを決められたタイミングで出力するようにしたものが特許文献１に開示されている。
【０００３】
【特許文献１】
特開２０００−９０１７５号公報
【０００４】
【発明が解決しようとする課題】
ところが、従来の特許文献１に開示されたものは、センサーが金融機関などの店舗への来客を感知すると、店舗内に設置されたディスプレイに広告やお知らせなどの通常のメッセージを単に出力するようにしたにすぎないものであった。
【０００５】
本発明の目的は、最新の広告情報に関するコンテンツ情報をコンテンツ配信センタ側から金融店舗側に向けて全店一斉又は地域毎に確実に配信し、金融店舗を利用する大勢の利用客に対して表示装置に表示された動画・静止画・文字情報などの広告情報に関するコンテンツ情報により宣伝・案内や各種情報の提供を行い、表示装置に表示された広告情報に関するコンテンツ情報を見ている観客数を金融店舗側で計算し、広告コンテンツの時間帯毎の観客数の把握と集計をコンテンツ配信センタ側で行うことが可能な金融機関向けコンテンツの観客数集計システムを提供することにある。
【０００６】
【課題を解決するための手段】
本発明の金融機関向けコンテンツの観客数集計システムは、広告主から依頼された広告を提供する広告提供会社と、前記広告に関する金融機関向けコンテンツを配信するコンテンツ配信センタと、前記金融機関向けコンテンツを表示するための表示装置，前記表示装置に表示された前記金融機関向けコンテンツを見ている観客を捉えて撮影するためのビデオカメラ及び前記ビデオカメラで撮影した前記観客のビデオ信号をビデオ画像データとして入力するためのビデオ入力装置が設置された金融機関などの金融店舗とからなり、前記広告提供会社パソコンと前記コンテンツ配信センタパソコンと前記金融店舗パソコンとを通信回線を介して各種のコンテンツ情報を送受信するように接続し、前記金融店舗パソコンに対して配信された前記金融機関向けコンテンツの時間帯毎の観客数を集計する金融機関向けコンテンツの観客数集計システムであって、前記広告提供会社パソコンが、前記広告主から依頼された前記広告に関する広告情報を前記コンテンツ配信センタパソコンに送信する機能を備え、前記コンテンツ配信センタパソコンが、前記広告提供会社パソコンから送信された前記広告情報を受信する機能と、受信した前記広告情報をデータベースに格納する機能と、前記広告情報に関するコンテンツ情報を前記金融店舗パソコンに対して配信する機能とを備え、前記金融店舗パソコンが、前記コンテンツ配信センタパソコンから配信された前記広告情報に関するコンテンツ情報をデータベースに格納する機能と、前記広告情報に関するコンテンツ情報を指定された時刻に前記表示装置に表示させる機能と、前記ビデオ入力装置から入力された前記ビデオ画像データに基づいて前記表示装置に表示された前記広告情報に関するコンテンツ情報を見ている前記観客の人数をカウントする機能と、前記カウントした観客の人数を前記コンテンツ配信センタパソコンに報告する機能とを備えたことを特徴とする構成を有するものである。
【０００７】
上記の本発明によれば、金融店舗パソコンがコンテンツ配信センタパソコンから配信された広告情報に関するコンテンツ情報をデータベースに格納するので、広告情報に関するコンテンツ情報を金融店舗側で管理することができ、金融店舗パソコンが広告情報に関するコンテンツ情報を指定された時刻に表示装置に表示させるので、広告情報に関するコンテンツ情報を金融店舗を利用する大勢の利用客に対して提供することができ、金融店舗パソコンがビデオ入力装置から入力されたビデオ画像データに基づいて表示装置に表示された広告情報に関するコンテンツ情報を見ている観客の人数をカウントするので、表示装置に表示された広告情報に関するコンテンツ情報を見ている観客数を金融店舗側で計算することができ、金融店舗パソコンがカウントした観客の人数をコンテンツ配信センタパソコンに報告するので、広告コンテンツの時間帯毎の観客数の把握と集計をコンテンツ配信センタ側で行うことができる。
【０００８】
本発明の金融機関向けコンテンツの観客数集計システムは、上記広告提供会社と上記コンテンツ配信センタと上記金融店舗とが、各種のコンテンツ情報の配信契約を締結し、前記広告提供会社パソコンと前記コンテンツ配信センタパソコンと前記金融店舗パソコンとが、締結した配信契約の内容に従って前記コンテンツ情報の配信を行う機能を備えている。
【０００９】
上記の本発明によれば、広告提供会社パソコンとコンテンツ配信センタパソコンと金融店舗パソコンとが締結した配信契約の内容に従ってコンテンツ情報の配信を行うので、コンテンツ配信センタが広告情報に関するコンテンツ情報を金融店舗に向けて配信する業務を広告提供会社に代行して行うことができる。
【００１０】
本発明の金融機関向けコンテンツの観客数集計システムは、上記コンテンツ配信センタパソコンが、予め設定された日時に観客数報告の要求を上記金融店舗パソコンに出す機能と、前記金融店舗パソコンから前記観客数報告の要求に対する時間帯毎の観客数の回答があると、時間帯毎の観客数を集計・分析する機能と、集計・分析した前記時間帯毎の観客数を観客数ログ情報として観客数ログデータベースに蓄積する機能と、指定された日時に前記時間帯毎の観客数の集計・分析結果を上記広告提供会社パソコンに報告する機能とを備えている。
【００１１】
上記の本発明によれば、コンテンツ配信センタパソコンが予め設定された日時に観客数報告の要求を金融店舗パソコンに出すので、観客数報告の要求に対する時間帯毎の観客数の回答をコンテンツ配信センタ側から金融店舗側へと求めることができ、金融店舗パソコンから観客数報告の要求に対する時間帯毎の観客数の回答があると、コンテンツ配信センタパソコンが時間帯毎の観客数を集計・分析するので、時間帯毎の観客数の集計と分析をコンテンツ配信センタ側で行うことができ、コンテンツ配信センタパソコンが集計・分析した時間帯毎の観客数を観客数ログ情報として観客数ログデータベースに蓄積するので、集計・分析した時間帯毎の観客数をコンテンツ配信センタ側で管理することができ、コンテンツ配信センタパソコンが指定された日時に時間帯毎の観客数の集計・分析結果を広告提供会社パソコンに報告するので、広告提供会社が時間帯毎の観客数の集計・分析結果から金融店舗の利用客の広告主から依頼された広告への関心度を知ることができる。
しかも、広告提供会社が表示装置に表示された広告情報に関するコンテンツ情報を金融店舗の利用客にどれだけ見てもらえたかの広告効果を把握することができる。
【００１２】
本発明の金融機関向けコンテンツの観客数集計システムは、上記金融店舗パソコンが、予め設定された日時に上記表示装置に表示された上記広告情報に関するコンテンツ情報を見ている観客を上記ビデオカメラで捉える機能と、前記ビデオカメラで捉えた前記観客の人数を指定された時刻別に算出する機能と、算出した前記指定された時刻別の観客数を観客数ログ情報として観客数ログデータベースに蓄積する機能と、上記コンテンツ配信センタパソコンからの観客数送信要求又は前記コンテンツ配信センタパソコンから指定された日時に、前記指定された時刻別の観客数を前記コンテンツ配信センタパソコンに報告する機能とを備えている。
【００１３】
上記の本発明によれば、金融店舗パソコンが予め設定された日時に表示装置に表示された広告情報に関するコンテンツ情報を見ている観客をビデオカメラで捉えるので、ビデオカメラが表示装置に表示された広告情報に関するコンテンツ情報を見ている観客を撮影することができ、金融店舗パソコンがビデオカメラで捉えた観客の人数を指定された時刻別に算出するので、表示装置に表示された広告情報に関するコンテンツ情報を見ている観客数を金融店舗側で把握することができ、金融店舗パソコンが算出した指定された時刻別の観客数を観客数ログ情報として観客数ログデータベースに蓄積するので、指定された時刻別の観客数を金融店舗側で管理することができ、コンテンツ配信センタパソコンからの観客数送信要求又はコンテンツ配信センタパソコンから指定された日時に、金融店舗パソコンが指定された時刻別の観客数をコンテンツ配信センタパソコンに報告するので、指定された時刻別の観客数を金融店舗側からコンテンツ配信センタ側へと知らせることができる。
【００１４】
【発明の実施の形態】
以下、本発明の実施の形態を図面に基づいて詳細に説明する。
図１は、本発明の実施の形態に係わる金融機関向けコンテンツの観客数集計システムを示す構成図である。
図２は、本発明の実施の形態に係わる金融機関向けコンテンツの観客数集計システムのコンテンツ配信センタ及び金融店舗の構成を示す説明図である。
本発明の金融機関向けコンテンツの観客数集計システムＳは、広告主から依頼された広告を提供する広告提供会社１と、広告に関する金融機関向けコンテンツを配信するコンテンツ配信センタ２と、金融機関向けコンテンツを表示するための表示装置３８，表示装置３８に表示された金融機関向けコンテンツを見ている観客Ｐを捉えて撮影するためのビデオカメラ４３及びビデオカメラ４３で撮影した観客Ｐのビデオ信号をビデオ画像データとして入力するためのビデオ入力装置４２が設置された金融機関などの金融店舗３とからなり、広告提供会社１のパソコン（ＰＣ；Ｐｅｒｓｏｎａｌ  Ｃｏｍｐｕｔｅｒ）１０とコンテンツ配信センタ２のパソコン（ＰＣ）２０と金融店舗３のパソコン（ＰＣ）３０とが通信回線である公衆回線５を介して各種のコンテンツ情報を送受信するように接続され、金融店舗３のパソコン３０に対して配信された金融機関向けコンテンツの時間帯毎の観客数を集計するシステムである。
【００１５】
本発明の金融機関向けコンテンツの観客数集計システムＳは、広告提供会社１のパソコン１０が、広告主から依頼された広告に関する広告情報をコンテンツ配信センタ２のパソコン２０に送信する機能を備え、コンテンツ配信センタ２のパソコン２０が、広告提供会社１のパソコン１０から送信された広告情報を受信する機能と、受信した広告情報を広告コンテンツ配信用データベース（ＤＢ；Ｄａｔａ  Ｂａｓｅ）２１に格納する機能と、広告情報に関するコンテンツ情報を金融店舗３のパソコン３０に対して配信する機能とを備え、金融店舗３のパソコン３０が、コンテンツ配信センタ２のパソコン２０から配信された広告情報に関するコンテンツ情報を広告コンテンツ用データベース（ＤＢ）３１に格納する機能と、広告情報に関するコンテンツ情報を指定された時刻に表示装置３８に表示させる機能と、ビデオ入力装置４２から入力されたビデオ画像データに基づいて表示装置３８に表示された広告情報に関するコンテンツ情報を見ている観客Ｐの人数をカウントする機能と、カウントした観客Ｐの人数をコンテンツ配信センタ２のパソコン２０に報告する機能とを備えている。
【００１６】
本発明の金融機関向けコンテンツの観客数集計システムＳは、コンテンツ配信センタ２のパソコン（ＰＣ）２０と金融店舗３のパソコン（ＰＣ）３０とが通信回線である衛星回線６を介して各種のコンテンツ情報を送受信するように連絡されている。
【００１７】
広告提供会社１は、図１に示すように、パソコン１０と、パソコン１０に接続された課金サーバ１１と、パソコン１０，課金サーバ１１に接続された広告情報，割込み情報を格納する共有データベース（ＤＢ）１２と、パソコン１０，課金サーバ１１，共有データベース１２に接続されたルータ１３とを有している。
【００１８】
コンテンツ配信センタ２は、図１に示すように、パソコン２０と、パソコン２０に接続された管理サーバ２５と、パソコン２０，管理サーバ２５に接続された広告情報を格納する広告コンテンツ配信用データベース２１と、パソコン２０，管理サーバ２５に接続された割込み情報を格納する割込みコンテンツ配信用データベース２２と、パソコン２０，管理サーバ２５に接続された金融店舗３のパソコン３０が集計した表示情報ログを格納するログデータベース（ＤＢ）２３と、パソコン２０，管理サーバ２５に接続された集計・分析した時間帯毎の観客数を観客数ログ情報として蓄積する観客数ログデータベース（ＤＢ）２４と、パソコン２０，管理サーバ２５，広告コンテンツ配信用データベース２１，割込みコンテンツ配信用データベース２２，ログデータベース２３，観客数ログデータベース２４に接続されたルータ２６と、パソコン２０に接続された衛星通信用アンテナ２７とを有している。
【００１９】
コンテンツ配信センタ２のパソコン２０は、広告情報に関するコンテンツ情報，割込み情報に関するコンテンツ情報の他にも、金利情報，証券情報，外国為替情報などの金融関連コンテンツ情報や気象情報，交通情報，列車運行情報などのコンテンツ情報を金融店舗３のパソコン３０に対して配信することができる。
【００２０】
さらに、コンテンツ配信センタ２のパソコン２０は、広告情報に関するコンテンツ情報及び割込み情報に関するコンテンツ情報を衛星通信用アンテナ２７から衛星回線６の通信衛星６０を経由して金融店舗３のパソコン３０に接続された衛星通信用受信装置４４に送信することができる。
【００２１】
管理サーバ２５は、広告コンテンツ配信用データベース２１に格納された広告情報，割込みコンテンツ配信用データベース２２に格納された割込み情報，ログデータベース２３に格納された表示情報ログ，観客数ログデータベース２４に蓄積された観客数ログ情報などの各種の情報を管理するものである。
【００２２】
コンテンツ配信センタ２のパソコン２０は、広告提供会社１の共有データベース１２から広告情報を１週毎にダウンロードするようになっている。
【００２３】
さらに、コンテンツ配信センタ２のパソコン２０は、広告情報に関するコンテンツ情報を１週間又は１ヶ月に１度だけ金融店舗３のパソコン３０に対して配信するようになっている。
【００２４】
ここで、コンテンツ配信センタ２のパソコン２０は、広告情報に関するコンテンツ情報として動画，静止画，文字，音声などのコンテンツ情報を金融店舗３のパソコン３０に送信する。
【００２５】
また、コンテンツ配信センタ２のパソコン２０から金融店舗３のパソコン３０への広告情報に関するコンテンツ情報の送信方法としては、動画，静止画，文字，音声などのコンテンツ情報を一括にまとめて送信する一括送信、動画，静止画，文字，音声などのコンテンツ情報をリアルタイムに送信するリアルタイム送信、動画，静止画，文字，音声などのコンテンツ情報を適当に組み合わせて送信する組み合わせ送信などの方法が適用される。
【００２６】
コンテンツ配信センタ２のパソコン２０では、動画，静止画，文字，音声などのコンテンツ情報を全店一斉又は地域毎に送信するためのグルーピングが行われる。
【００２７】
さらに、コンテンツ配信センタ２のパソコン２０では、動画，静止画，文字，音声などのコンテンツ情報の一括送信，リアルタイム送信，時間指定表示などの処理順序を決定するスケジューリングが行われる。
【００２８】
コンテンツ配信センタ２のパソコン２０は、金融店舗３のパソコン３０への表示制御データの送信も行う。
【００２９】
金融店舗３は、図１及び図２に示すように、パソコン３０と、パソコン３０に接続された管理サーバ３６と、パソコン３０，管理サーバ３６に接続された広告情報に関するコンテンツ情報を格納する広告コンテンツ用データベース３１と、パソコン３０，管理サーバ３６に接続された割込み情報に関するコンテンツ情報を格納する割込みコンテンツ用データベース３２と、パソコン３０，管理サーバ３６に接続された表示した時刻，内容のログを格納するログデータベース（ＤＢ）３３と、パソコン３０，管理サーバ３６に接続された広告情報に関するコンテンツ情報及び割込み情報に関するコンテンツ情報の表示時間をコンテンツ表示時間情報として記録する表示記録用データベース（ＤＢ）３４と、パソコン３０，管理サーバ３６に接続された指定した時刻別の観客数を観客数ログ情報として蓄積する観客数ログデータベース（ＤＢ）３５と、パソコン３０，管理サーバ３６，広告コンテンツ用データベース３１，割込みコンテンツ用データベース３２，ログデータベース３３，表示記録用データベース３４，観客数ログデータベース３５に接続されたルータ３７と、パソコン３０に接続されたタッチパネル３８ａを備えている表示装置３８と、表示装置３８に接続されたタッチパネル３９と、表示装置３８に接続された印刷装置４０と、表示装置３８に接続された音声を出力するスピーカ４１と、パソコン３０に接続されたビデオ入力装置４２と、ビデオ入力装置４２に接続されたビデオカメラ４３と、パソコン３０に接続された衛星通信用受信装置４４とを有している。
【００３０】
管理サーバ３６は、広告コンテンツ用データベース３１に格納された広告情報に関するコンテンツ情報，割込みコンテンツ用データベース３２に格納された割込み情報に関するコンテンツ情報，ログデータベース３３に格納された広告情報に関するコンテンツ情報及び割込み情報に関するコンテンツ情報を表示装置３８に表示した時刻，内容のログ，表示記録用データベース３４に記録された広告情報に関するコンテンツ情報及び割込み情報に関するコンテンツ情報のコンテンツ表示時間情報，観客数ログデータベース３５に蓄積された観客数ログ情報などの各種の情報を管理するものである。
【００３１】
金融店舗３のパソコン３０は、動画，静止画，文字，音声などの通常の広告コンテンツ情報への割込みコンテンツ情報の割込み表示を行う。
【００３２】
また、金融店舗３のパソコン３０は、コンテンツを表示する表示スケジュールのスケジュール機能や速報機能を備え、表示順序や時間帯に応じた情報表示とコンテンツ配信センタ２からの指示による地震情報や台風情報などの臨時ニュース速報などを流すことができる。
【００３３】
金融店舗３内のパソコン３０毎にコンテンツを表示する表示スケジュールのスケジュールデータを設定できるため、地域別，店舗形態別などのグルーピング運用を行うことが可能である。
【００３４】
金融店舗３のパソコン３０は、コンテンツ配信センタ２の衛星通信用アンテナ２７から衛星回線６の通信衛星６０を経由して衛星通信用受信装置４４に送信された広告情報に関するコンテンツ情報及び割込み情報に関するコンテンツ情報を受信することができる。
【００３５】
本発明の金融機関向けコンテンツの観客数集計システムＳは、広告提供会社１とコンテンツ配信センタ２と金融店舗３とが、各種のコンテンツ情報の配信契約を締結し、広告提供会社１のパソコン１０とコンテンツ配信センタ２のパソコン２０と金融店舗３のパソコン３０とが、締結した配信契約の内容に従ってコンテンツ情報の配信を行う機能を備えている。
【００３６】
本発明の金融機関向けコンテンツの観客数集計システムＳは、コンテンツ配信センタ２のパソコン２０が、予め設定された日時に観客数報告の要求を金融店舗３のパソコン３０に出す機能と、金融店舗３のパソコン３０から観客数報告の要求に対する時間帯毎の観客数の回答があると、時間帯毎の観客数を集計・分析する機能と、集計・分析した時間帯毎の観客数を観客数ログ情報として観客数ログデータベース２４に蓄積する機能と、指定された日時に時間帯毎の観客数の集計・分析結果を広告提供会社１のパソコン１０に報告する機能とを備えている。
【００３７】
本発明の金融機関向けコンテンツの観客数集計システムＳは、金融店舗３のパソコン３０が、予め設定された日時に表示装置３８に表示された広告情報に関するコンテンツ情報を見ている観客Ｐをビデオカメラ４３で捉える機能と、ビデオカメラ４３で捉えた観客Ｐの人数を指定された時刻別に算出する機能と、算出した指定された時刻別の観客数を観客数ログ情報として観客数ログデータベース３５に蓄積する機能と、コンテンツ配信センタ２のパソコン２０からの観客数送信要求又はコンテンツ配信センタ２のパソコン２０から指定された日時に、指定された時刻別の観客数をコンテンツ配信センタ２のパソコン２０に報告する機能とを備えている。
【００３８】
金融店舗３内に設置された表示装置３８は、プラズマディスプレイである。
【００３９】
広告提供会社１とコンテンツ配信センタ２とは、公衆回線５を経由して送受信する広告の内容，情報量，表示時間，表示エリア，表示地域，配信方法などの広告情報に関するコンテンツ情報の配信契約を締結し、コンテンツ配信センタ２のパソコン２０は、締結した配信契約の内容に従って金融店舗３のパソコン３０に対して広告情報に関するコンテンツ情報の配信を行うようになっている。
【００４０】
コンテンツ配信センタ２と金融店舗３とは、公衆回線５を経由して送受信する広告の内容，情報量，表示時間，表示エリア，表示地域，配信方法及び表示装置３８の表示画面分割などの広告情報に関するコンテンツ情報の配信契約を締結し、コンテンツ配信センタ２のパソコン２０は、締結した配信契約の内容に従って金融店舗３のパソコン３０に対して広告情報に関するコンテンツ情報の配信を行うようになっている。
【００４１】
広告提供会社１のパソコン１０は、広告主から広告の依頼があると、広告に関する広告情報を作成し、作成した広告情報をコンテンツ配信センタ２のパソコン２０に送信するようになっている。
【００４２】
コンテンツ配信センタ２のパソコン２０は、広告提供会社１のパソコン１０から送信された広告情報を受信し、受信した広告情報に基づいて表示装置３８の表示画面４５に対応した広告用コンテンツを作成し、作成した広告用コンテンツの種類，放映時間，放映時刻，配信先，配信内容，配信時期などの各種設定条件を設定し、広告用コンテンツの広告コンテンツ情報を広告コンテンツ配信用データベース２１に登録し、広告コンテンツ情報の配信時期が来ると、広告コンテンツ情報を金融店舗３のパソコン３０に配信するようになっている。
【００４３】
金融店舗３のパソコン３０は、コンテンツ配信センタ２のパソコン２０から配信された広告コンテンツ情報を受信し、受信した広告コンテンツ情報を広告コンテンツ用データベース３１に格納し、広告コンテンツ情報を指定された時刻に表示装置３８に表示させ、広告コンテンツ情報を必要に応じて表示装置３８に分割表示させるようになっている。
【００４４】
金融店舗３のパソコン３０は、割込みコンテンツ情報がコンテンツ配信センタ２のパソコン２０から配信された場合、コンテンツ配信センタ２のパソコン２０から配信された割込みコンテンツ情報を受信し、受信した割込みコンテンツ情報を割込みコンテンツ用データベース３２に格納し、割込みコンテンツ情報を表示装置３８に表示させるようになっている。
【００４５】
金融店舗３のパソコン３０は、コンテンツ配信センタ２のパソコン２０から配信されたコンテンツ情報が通常の広告コンテンツ情報であれば、広告コンテンツ情報を広告コンテンツ用データベース３１に格納し、金融店舗３のパソコン３０に内蔵されたタイマ（図示せず）により指定時刻になると、広告コンテンツ情報を表示装置３８に表示させるようになっている。
【００４６】
金融店舗３のパソコン３０は、コンテンツ配信センタ２のパソコン２０から配信されたコンテンツ情報が割込みコンテンツ情報であれば、割込みコンテンツ情報を割込みコンテンツ用データベース３２に格納し、広告コンテンツ情報の表示中にコンテンツ配信センタ２のパソコン２０から割込みコンテンツ情報が配信されると、割込みコンテンツ情報を広告コンテンツ情報に割込んで表示装置３８に表示させるようになっている。
【００４７】
金融店舗３のパソコン３０は、コンテンツ配信センタ２のパソコン２０からの表示指示に従って広告コンテンツ情報及び割込みコンテンツ情報を表示装置３８に表示した時刻，内容のログを取り、時刻，内容のログをログデータベース３３に格納し、コンテンツ配信センタ２のパソコン２０から指示又は指定された期日になると、ログ情報をコンテンツ配信センタ２のパソコン２０に報告するようになっている。
【００４８】
コンテンツ配信センタ２のパソコン２０は、金融店舗３のパソコン３０からの広告コンテンツ情報及び割込みコンテンツ情報を表示装置３８に表示した表示情報ログを集計し、集計した表示情報ログをログデータベース２３に格納し、課金時期が来ると、広告提供会社１のパソコン１０にコンテンツ配信の料金請求を行い、広告提供会社１から料金を回収するようになっている。
【００４９】
図３は、本発明の実施の形態に係わる金融機関向けコンテンツの観客数集計システムにおける金融店舗内に設置された表示装置の表示画面を複数の区画に分割指定した場合の例を示す説明図、（ａ）は表示装置の表示画面を４つの表示エリアに分割指定した場合の第１例を示す図、（ｂ）は表示装置の表示画面を３つの表示エリアに分割指定した場合の第２例を示す図、（ｃ）は表示装置の表示画面を（ａ）とは異なる４つの表示エリアに分割指定した場合の第３例を示す図である。
金融店舗３内に設置された表示装置３８の表示画面４５を図３（ａ）に示すような４つの表示エリア４５Ａ，４５Ｂ，４５Ｃ，４５Ｄに分割指定した場合、表示装置３８の表示画面４５の表示エリア４５Ａには、例えば、コンテンツ配信センタ２の広告コンテンツ配信用データベース２１からダウンロードした広告情報に関するコンテンツ情報として動画のコンテンツが表示され、表示装置３８の表示画面４５の表示エリア４５Ｂには、例えば、コンテンツ配信センタ２の広告コンテンツ配信用データベース２１からダウンロードした広告情報に関するコンテンツ情報として静止画のコンテンツが表示され、表示装置３８の表示画面４５の表示エリア４５Ｃには、例えば、コンテンツ配信センタ２の広告コンテンツ配信用データベース２１からダウンロードした広告情報に関するコンテンツ情報として表示エリア４５Ａとは異なる動画のコンテンツが表示され、表示装置３８の表示画面４５の表示エリア４５Ｄには、例えば、コンテンツ配信センタ２の広告コンテンツ配信用データベース２１からダウンロードした広告情報に関するコンテンツ情報として文字情報などのテキストのコンテンツが表示されるようになっている。
【００５０】
また、金融店舗３内に設置された表示装置３８の表示画面４５を図３（ｂ）に示すような３つの表示エリア４５Ａ，４５Ｂ，４５Ｃに分割指定した場合、表示装置３８の表示画面４５の表示エリア４５Ａには、例えば、コンテンツ配信センタ２の広告コンテンツ配信用データベース２１からダウンロードした広告情報に関するコンテンツ情報として動画のコンテンツが表示され、表示装置３８の表示画面４５の表示エリア４５Ｂには、例えば、コンテンツ配信センタ２の広告コンテンツ配信用データベース２１からダウンロードした広告情報に関するコンテンツ情報として静止画のコンテンツが表示され、表示装置３８の表示画面４５の表示エリア４５Ｃには、例えば、コンテンツ配信センタ２の広告コンテンツ配信用データベース２１からダウンロードした広告情報に関するコンテンツ情報として動画のコンテンツが表示されるようになっている。
【００５１】
さらに、金融店舗３内に設置された表示装置３８の表示画面４５を図３（ｃ）に示すような４つの表示エリア４５Ａ，４５Ｂ，４５Ｃ，４５Ｄに分割指定した場合、表示装置３８の表示画面４５の表示エリア４５Ａには、例えば、コンテンツ配信センタ２の広告コンテンツ配信用データベース２１からダウンロードした広告情報に関するコンテンツ情報として動画のコンテンツが表示され、表示装置３８の表示画面４５の表示エリア４５Ｂには、例えば、コンテンツ配信センタ２の広告コンテンツ配信用データベース２１からダウンロードした広告情報に関するコンテンツ情報として静止画のコンテンツが表示され、表示装置３８の表示画面４５の表示エリア４５Ｃには、例えば、コンテンツ配信センタ２の広告コンテンツ配信用データベース２１からダウンロードした広告情報に関するコンテンツ情報として表示エリア４５Ａとは異なる動画のコンテンツが表示され、表示装置３８の表示画面４５の表示エリア４５Ｄには、例えば、コンテンツ配信センタ２の広告コンテンツ配信用データベース２１からダウンロードした広告情報に関するコンテンツ情報として文字情報などのテキストのコンテンツが表示されるようになっている。
【００５２】
図４は、本発明の金融機関向けコンテンツの観客数集計システムにおけるコンテンツ配信センタパソコンから金融店舗パソコンへの金融機関向けコンテンツ配信時の流れを示す処理フロー図である。
ステップＳ１００でスタートした処理は、コンテンツ配信センタ２のパソコン２０から金融店舗３のパソコン３０への金融機関向けコンテンツ配信時に、まず、ステップＳ１０１で広告提供会社１のパソコン１０が広告主から依頼された広告に関する広告情報を公衆回線５を経由してコンテンツ配信センタ２のパソコン２０に送信し、次いで、ステップＳ１０２でコンテンツ配信センタ２のパソコン２０が広告提供会社１のパソコン１０から送信された広告情報をルータ２６を中継して受信し、次いで、ステップＳ１０３でコンテンツ配信センタ２のパソコン２０が受信した広告情報に基づいて金融店舗３内に設置された表示装置３８の表示画面４５に対応した通常の広告用コンテンツを作成し、次いで、ステップＳ１０４でコンテンツ配信センタ２のパソコン２０が作成した広告用コンテンツの各種設定条件を設定する。
【００５３】
ステップＳ１０４における広告用コンテンツの各種設定条件の設定として、コンテンツ配信センタ２のパソコン２０により、表示装置３８の表示画面４５の分割指定の設定、分割指定した表示装置３８の表示画面４５と動画，静止画，テキストなどの広告用コンテンツとの対応の設定、広告用コンテンツの種類の設定、各広告用コンテンツの放映時間の設定、各広告用コンテンツの放映時刻の設定、広告用コンテンツの配信先の設定、広告用コンテンツの配信内容の設定、広告用コンテンツの配信時期の設定などが行われる。
【００５４】
次いで、ステップＳ１０５でコンテンツ配信センタ２のパソコン２０が広告用コンテンツの広告コンテンツ情報を広告コンテンツ配信用データベース２１に登録し、次いで、ステップＳ１０６でコンテンツ配信センタ２のパソコン２０が広告コンテンツ情報の配信時期であるかを判断する。
【００５５】
ここで、広告コンテンツ情報の配信時期である場合（ステップＳ１０６“Ｙ”）、ステップＳ１０７でコンテンツ配信センタ２のパソコン２０が動画，静止画，文字，音声などの広告コンテンツ情報を公衆回線５を経由して金融店舗３のパソコン３０に配信する。
【００５６】
図５は、本発明の金融機関向けコンテンツの観客数集計システムにおけるコンテンツ配信センタパソコンから金融店舗パソコンへの割込み用コンテンツ配信時の流れを示す処理フロー図である。
ステップＳ２００でスタートした処理は、コンテンツ配信センタ２のパソコン２０から金融店舗３のパソコン３０への割込み用コンテンツ配信時に、広告情報に関するコンテンツ情報の表示中に割込んで割込み情報に関するコンテンツ情報を表示する必要が発生した場合、まず、ステップＳ２０１で広告提供会社１のパソコン１０が緊急時あるいは災害時などに臨時ニュース速報などの割込み情報を作成し、次いで、ステップＳ２０２で広告提供会社１のパソコン１０が作成した割込み情報を公衆回線５を経由してコンテンツ配信センタ２のパソコン２０に送信し、次いで、ステップＳ２０３でコンテンツ配信センタ２のパソコン２０が広告提供会社１のパソコン１０から送信された割込み情報をルータ２６を中継して受信し、次いで、ステップＳ２０４でコンテンツ配信センタ２のパソコン２０が受信した割込み情報に基づいて割込み用コンテンツを作成し、次いで、ステップＳ２０５でコンテンツ配信センタ２のパソコン２０が作成した割込み用コンテンツの各種設定条件を設定する。
【００５７】
ステップＳ２０５における割込み用コンテンツの各種設定条件の設定として、コンテンツ配信センタ２のパソコン２０により、レイアウト指示，表示エリア指定などの表示装置３８の表示画面４５の設定、割込み用コンテンツの割込み指定時刻の設定、割込み用コンテンツの表示内容の設定、割込み用コンテンツの表示時間の設定、割込み用コンテンツの割込み配信先の設定、割込み用コンテンツの配信時刻の設定などが行われる。
【００５８】
次いで、ステップＳ２０６でコンテンツ配信センタ２のパソコン２０が割込み用コンテンツの割込みコンテンツ情報を割込みコンテンツ配信用データベース２２に登録し、次いで、ステップＳ２０７でコンテンツ配信センタ２のパソコン２０が割込みコンテンツ情報の配信時期であるかを判断する。
【００５９】
ここで、割込みコンテンツ情報の配信時期である場合（ステップＳ２０７“Ｙ”）、ステップＳ２０８でコンテンツ配信センタ２のパソコン２０が割込みコンテンツ情報を公衆回線５を経由して金融店舗３のパソコン３０に配信する。
【００６０】
図６は、本発明の金融機関向けコンテンツの観客数集計システムにおける金融店舗パソコンによる表示装置へのコンテンツ表示時の流れを示す処理フロー図である。
ステップＳ３００でスタートした処理は、金融店舗３のパソコン３０による表示装置３８へのコンテンツ表示時に、まず、ステップＳ３０１で金融店舗３のパソコン３０がコンテンツ配信センタ２のパソコン２０から配信されたコンテンツ情報をルータ３７を中継して受信し、次いで、ステップＳ３０２で金融店舗３のパソコン３０がコンテンツ配信センタ２のパソコン２０から配信されたコンテンツ情報が通常の広告コンテンツ情報であるかを判断する。
【００６１】
ここで、コンテンツ配信センタ２のパソコン２０から配信されたコンテンツ情報が通常の広告コンテンツ情報である場合（ステップＳ３０２“Ｙ”）、ステップＳ３０３で金融店舗３のパソコン３０が通常の広告コンテンツ情報を広告コンテンツ用データベース３１に格納し、次いで、ステップＳ３０４で金融店舗３のパソコン３０が現時刻に表示装置３８に表示するコンテンツ情報があるかを判断する。
【００６２】
また、コンテンツ配信センタ２のパソコン２０から配信されたコンテンツ情報が通常の広告コンテンツ情報でない場合（ステップＳ３０２“Ｎ”）、ステップＳ３０５で金融店舗３のパソコン３０が割込みコンテンツ情報を割込みコンテンツ用データベース３２に格納し、次いで、ステップＳ３０４に移行する。
【００６３】
現時刻に表示装置３８に表示するコンテンツ情報がある場合（ステップＳ３０４“Ｙ”）、ステップＳ３０６で金融店舗３のパソコン３０がコンテンツ配信センタ２のパソコン２０から配信されたコンテンツ情報が割込みコンテンツ情報であるかを判断する。
【００６４】
ここで、コンテンツ配信センタ２のパソコン２０から配信されたコンテンツ情報が割込みコンテンツ情報である場合（ステップＳ３０６“Ｙ”）、ステップＳ３０７で金融店舗３のパソコン３０が割込みコンテンツ情報を通常の広告コンテンツ情報に割込んで優先的に表示装置３８の表示画面４５に表示させ、次いで、ステップＳ３０８で金融店舗３のパソコン３０が割込みコンテンツ情報の表示時間を割込みコンテンツ表示時間情報として表示記録用データベース３４に記録し、その後、ステップＳ３０４に戻る。
【００６５】
また、コンテンツ配信センタ２のパソコン２０から配信されたコンテンツ情報が割込みコンテンツ情報でない場合（ステップＳ３０６“Ｎ”）、ステップＳ３０９で金融店舗３のパソコン３０が通常の広告コンテンツ情報を指定された時刻に表示装置３８の表示画面４５に表示させ、次いで、ステップＳ３１０で金融店舗３のパソコン３０が通常の広告コンテンツ情報の表示時間を広告コンテンツ表示時間情報として表示記録用データベース３４に記録し、その後、ステップＳ３０４に戻る。
【００６６】
さらに、現時刻に表示装置３８に表示するコンテンツ情報がない場合（ステップＳ３０４“Ｎ”）、ステップＳ３１１で金融店舗３のパソコン３０が全コンテンツ情報の表示終了であるかを判断する。
【００６７】
ここで、全コンテンツ情報の表示終了でない場合（ステップＳ３１１“Ｎ”）、ステップＳ３０４に戻る。
【００６８】
図７は、本発明の金融機関向けコンテンツの観客数集計システムにおけるコンテンツ配信センタパソコンから金融店舗パソコンへの観客数報告の要求時の流れを示す処理フロー図である。
ステップＳ４００でスタートした処理は、コンテンツ配信センタ２のパソコン２０から金融店舗３のパソコン３０への観客数報告の要求時に、まず、ステップＳ４０１でコンテンツ配信センタ２のパソコン２０が予め設定された日時に観客数報告の要求を金融店舗３のパソコン３０に出し、次いで、ステップＳ４０２でコンテンツ配信センタ２のパソコン２０が金融店舗３のパソコン３０から観客数報告の要求に対する時間帯毎の観客数の回答があるかを判断する。
【００６９】
ここで、金融店舗３のパソコン３０から観客数報告の要求に対する時間帯毎の観客数の回答があると（ステップＳ４０２“Ｙ”）、ステップＳ４０３でコンテンツ配信センタ２のパソコン２０が時間帯毎の観客数を集計・分析し、次いで、ステップＳ４０４でコンテンツ配信センタ２のパソコン２０が集計・分析した時間帯毎の観客数を観客数ログ情報として観客数ログデータベース２４に蓄積し、次いで、ステップＳ４０５でコンテンツ配信センタ２のパソコン２０が指定された日時に時間帯毎の観客数の集計・分析結果を広告提供会社１のパソコン１０に報告する。
【００７０】
また、金融店舗３のパソコン３０から観客数報告の要求に対する時間帯毎の観客数の回答がないと（ステップＳ４０２“Ｎ”）、ステップＳ４０１に戻る。
【００７１】
図８は、本発明の金融機関向けコンテンツの観客数集計システムにおける金融店舗パソコンからコンテンツ配信センタパソコンへのカウントした観客数の報告時の流れを示す処理フロー図である。
ステップＳ５００でスタートした処理は、金融店舗３のパソコン３０からコンテンツ配信センタ２のパソコン２０へのカウントした観客数の報告時に、まず、ステップＳ５０１で金融店舗３のパソコン３０がコンテンツ配信センタ２のパソコン２０からの観客数報告の要求があるかを判断する。
【００７２】
ここで、コンテンツ配信センタ２のパソコン２０からの観客数報告の要求があると（ステップＳ５０１“Ｙ”）、ステップＳ５０２で金融店舗３のパソコン３０が予め設定された日時に表示装置３８の表示画面４５に表示された広告情報に関するコンテンツ情報を見ている観客Ｐをビデオカメラ４３により捉え、次いで、ステップＳ５０３でビデオカメラ４３が表示装置３８の表示画面４５に表示された広告情報に関するコンテンツ情報を見ている観客Ｐを撮影し、次いで、ステップＳ５０４でビデオ入力装置４２がビデオカメラ４３で撮影した観客Ｐのビデオ信号をビデオ画像データとして金融店舗３のパソコン３０に入力し、次いで、ステップＳ５０５で金融店舗３のパソコン３０がビデオカメラ４３により捉えた観客Ｐの人数を指定された時刻別に算出し、次いで、ステップＳ５０６で金融店舗３のパソコン３０が算出した指定された時刻別の観客数を観客数ログ情報として観客数ログデータベース３５に蓄積し、次いで、ステップＳ５０７でコンテンツ配信センタ２のパソコン２０からの観客数送信要求又はコンテンツ配信センタ２のパソコン２０から指定された日時に、金融店舗３のパソコン３０が指定された時刻別の観客数をコンテンツ配信センタ２のパソコン２０に報告する。
【００７３】
【発明の効果】
以上に述べたように、本発明の金融機関向けコンテンツの観客数集計システムによれば、広告提供会社パソコンが広告主から依頼された広告に関する広告情報をコンテンツ配信センタパソコンに送信し、コンテンツ配信センタパソコンが広告情報に関するコンテンツ情報を金融店舗パソコンに対して配信するので、最新の広告情報に関するコンテンツ情報をコンテンツ配信センタ側から金融店舗側に向けて全店一斉又は地域毎に確実に配信することができ、金融店舗パソコンがコンテンツ配信センタパソコンから配信された広告情報に関するコンテンツ情報をデータベースに格納するので、広告情報に関するコンテンツ情報を金融店舗側で管理することができ、金融店舗パソコンが広告情報に関するコンテンツ情報を指定された時刻に表示装置に表示させるので、金融店舗を利用する大勢の利用客に対して表示装置に表示された動画・静止画・文字情報などの広告情報に関するコンテンツ情報により宣伝・案内や各種情報の提供を行うことができ、金融店舗の多くの利用客に興味を与えて宣伝効果が高く、従来の金融店舗の店舗イメージを一新して、金融店舗のイメージアップを図ることができる。
【００７４】
また、ビデオカメラが表示装置に表示された広告情報に関するコンテンツ情報を見ている観客を撮影するので、ビデオ入力装置がビデオカメラで撮影した観客のビデオ信号をビデオ画像データとして金融店舗パソコンに入力することができ、金融店舗パソコンがビデオ入力装置から入力されたビデオ画像データに基づいて表示装置に表示された広告情報に関するコンテンツ情報を見ている観客の人数をカウントするので、表示装置に表示された広告情報に関するコンテンツ情報を見ている観客数を金融店舗側で計算することができ、金融店舗パソコンがカウントした観客の人数をコンテンツ配信センタパソコンに報告するので、広告コンテンツの時間帯毎の観客数の把握と集計をコンテンツ配信センタ側で行うことができる。
【図面の簡単な説明】
【図１】本発明の実施の形態に係わる金融機関向けコンテンツの観客数集計システムを示す構成図。
【図２】本発明の実施の形態に係わる金融機関向けコンテンツの観客数集計システムのコンテンツ配信センタ及び金融店舗の構成を示す説明図。
【図３】本発明の実施の形態に係わる金融機関向けコンテンツの観客数集計システムにおける金融店舗内に設置された表示装置の表示画面を複数の区画に分割指定した場合の例を示す説明図。
【図４】本発明の金融機関向けコンテンツの観客数集計システムにおけるコンテンツ配信センタパソコンから金融店舗パソコンへの金融機関向けコンテンツ配信時の流れを示す処理フローチャート図。
【図５】本発明の金融機関向けコンテンツの観客数集計システムにおけるコンテンツ配信センタパソコンから金融店舗パソコンへの割込み用コンテンツ配信時の流れを示す処理フローチャート図。
【図６】本発明の金融機関向けコンテンツの観客数集計システムにおける金融店舗パソコンによる表示装置へのコンテンツ表示時の流れを示す処理フローチャート図。
【図７】本発明の金融機関向けコンテンツの観客数集計システムにおけるコンテンツ配信センタパソコンから金融店舗パソコンへの観客数報告の要求時の流れを示す処理フローチャート図。
【図８】本発明の金融機関向けコンテンツの観客数集計システムにおける金融店舗パソコンからコンテンツ配信センタパソコンへのカウントした観客数の報告時の流れを示す処理フローチャート図。
【符号の説明】
１  広告提供会社
２  コンテンツ配信センタ
３  金融店舗
５  公衆回線（通信回線）
６  衛星回線（通信回線）
１０  パソコン（ＰＣ）
１１  課金サーバ
１２  共有データベース（ＤＢ）
１３  ルータ
２０  パソコン（ＰＣ）
２１  広告コンテンツ配信用データベース（ＤＢ）
２２  割込みコンテンツ配信用データベース（ＤＢ）
２３  ログデータベース（ＤＢ）
２４  観客数ログデータベース（ＤＢ）
２５  管理サーバ
２６  ルータ
２７  衛星通信用アンテナ
３０  パソコン（ＰＣ）
３１  広告コンテンツ用データベース（ＤＢ）
３２  割込みコンテンツ用データベース（ＤＢ）
３３  ログデータベース（ＤＢ）
３４  表示記録用データベース（ＤＢ）
３５  観客数ログデータベース（ＤＢ）
３６  管理サーバ
３７  ルータ
３８  表示装置
３８ａ  タッチパネル
３９  タッチパネル
４０  印刷装置
４１  スピーカ
４２  ビデオ入力装置
４３  ビデオカメラ
４４  衛星通信用受信装置
４５  表示画面
４５Ａ，４５Ｂ，４５Ｃ，４５Ｄ  表示エリア
６０  通信衛星
Ｓ  金融機関向けコンテンツの観客数集計システム
【図１】
2004272642.tif 000003
【図２】
2004272642.tif 000004
【図３】
2004272642.tif 000005
【図４】
2004272642.tif 000006
【図５】
2004272642.tif 000007
【図６】
2004272642.tif 000008
【図７】
2004272642.tif 000009
【図８】
2004272642.tif 000010